(57)【要約】【課題】日よけ、雨よけなどの遮蔽を、支持体に固定する装置を提供すること。【解決手段】たとえば日よけ、雨よけなどの遮蔽を、支持体２に固定する装置において、遮蔽１に、バー５を中で移動することのできる軸受筒４が設けられ、この軸受筒４が、スポーク１０などによって、遮蔽１の骨組み９に連結される装置であって、前記軸受筒４が、上記支持体２に直接または間接に固定されることを特徴とする装置。【選択図】図２
2004137881.tif 000002
【特許請求の範囲】
【請求項１】
　たとえば日よけ、雨よけなどの遮蔽を、支持体（２）に固定する装置において、遮蔽（１）に、バー（５）を中で移動することのできる軸受筒（４）が設けられ、この軸受筒（４）が、スポーク（１０）などによって、遮蔽（１）の骨組み（９）に連結される装置であって、前記軸受筒（４）が、上記支持体（２）に直接または間接に固定されることを特徴とする装置。
【請求項２】
　軸受筒（４）が、支持体（２）に直接固定され、この軸受筒（４）が、バー（５）を軸受筒（４）内にロックする締め付け手段を備えることを特徴とする請求項１に記載の装置。
【請求項３】
　上記の締め付け手段が、ネジ（７）からなることを特徴とする請求項２に記載の装置。
【請求項４】
　軸受筒（４）が、ホルダ（３０）によって支持体（２）に間接的に固定されることを特徴とする請求項１に記載の装置。
【請求項５】
　ホルダ（３０）が、遮蔽（１）の軸受筒（４）が、締め付け手段によって中で固定される軸受筒で形成されることを特徴とする請求項４に記載の装置。
【請求項６】
　ホルダ（３０）内の軸受筒（４）用の締め付け手段が、ネジ（３１）からなることを特徴とする請求項５に記載の装置。
【請求項７】
　ホルダ（３０）内の軸受筒（４）用の締め付け手段が、ホルダ（３０）に蝶番で取り付けられるレバーであって、ホルダ（３０）の溝（３５）内に部分的に突き出す偏心の遠端（３４）を有するレバー（３２）からなることを特徴とする請求項５に記載の装置。
【請求項８】
　バー（５）の長さが、遮蔽（１）が畳み込まれるとき、バーがその遠端をもって軸受筒（４）の外に突き出すようなものであることを特徴とする請求項１に記載の装置。
【請求項９】
　バー（５）が、蝶番（１８）によって互いに連結された上方部分（１６）と下方部分（１７）によって、曲がりやすく作られることを特徴とする請求項１に記載の装置。
【請求項１０】
　バー（５）の上記の下方部分（１７）を掛けることのできる、フック（１９）またはループが設けられることを特徴とする請求項９に記載の装置。
【発明の詳細な説明】
【技術分野】
【０００１】
　本発明は、たとえば、日よけ、雨よけなど、特にテラスなどで使用するような遮蔽を、支持体に固定する装置に関する。
【背景技術】
【０００２】
　知られている通り、上記の用途では、支持体もしくはアームによって、またはそれらによらないで、遮蔽を、支柱または壁などに対して固定することができる。
【０００３】
　上記の知られている遮蔽は、遮蔽のバーまたは棒を、支持体の一部であるホルダに取り付けることによって固定されることも知られている。
【０００４】
　遮蔽の開閉のために、軸受筒を使用することも知られており、この軸受筒は、遮蔽のバー上を滑動することができるように、また、そのようなバーを片手で保持しながら、通常はバネ錠である適切なロックが得られるまで、他方の手で軸受筒をバー上で押し上げ、または押し下げることができるよう設けられる。
【０００５】
　これらの知られている装置の欠点は、遮蔽の開閉を可能にするために、遮蔽を、支持体のホルダから取り出さなければならないということであり、これは、比較的時間を要する。
【０００６】
　このような支持体は、一般に、比較的高いところに配置されることが知られているが、それによって、遮蔽の操作は、より困難になる。
【０００７】
　実際には、上記の知られている遮蔽は、それらの開閉に対して妨げがあることから、しばしば、まったく閉じられていないことが見受けられ、その場合、嵐などの場合に破損を招くことがある。
【発明の開示】
【発明が解決しようとする課題】
【０００８】
　本発明は、これらおよびその他の欠点を改善することを目的とする。
【課題を解決するための手段】
【０００９】
　この目的のために、本発明は、遮蔽を支持体に固定する装置において、遮蔽に、バーを中で移動することのできる軸受筒が設けられ、この軸受筒が、スポークなどによって遮蔽の骨組みに連結される装置であって、前記軸受筒が、上記支持体に直接または間接に固定されることを特徴とする装置に関する。
【００１０】
　言い換えれば、遮蔽のバーが支持体に連結される、知られている装置に対し、本発明は、遮蔽の軸受筒が支持体に固定されることにある。
【００１１】
　そのようにして得られる利点は、バーを引き下げ、またはそれを押し上げることによって、遮蔽を簡単に早く畳み込み、広げることができ、その結果、この場合、もはや当該遮蔽を支持体から取り外す必要がなくなるということである。
【００１２】
　好ましくは、遮蔽が畳み込まれているとき、遮蔽のバーが突き出て、その一部分が軸受筒の底側にあり、それによって、このアームが、特定の高さに設けられると、背丈の小さな人も、簡単にバーに手を伸ばして、それを操作することができるという利点がもたらされる。
【００１３】
　好ましい実施形態によれば、遮蔽のバーが曲げやすく作られ、それによって、遮蔽が広げられた結果バーが最大限に下向きに突き出たとき、下方部分を畳み込むことができ、固定することができ、それによって、下方部分が、遮蔽の下に位置する人に対して妨害を形成し得ないようになる。
【００１４】
　最も好ましい実施形態によると、遮蔽の軸受筒は、好ましくはクリップとして作られるホルダによって、支持体に間接的に保持される。
【００１５】
　これによって、たとえば、遮蔽を片づけることが可能となるように、遮蔽を簡単に支持体から取り外すことができるという利点がもたらされる。
【発明を実施するための最良の形態】
【００１６】
　本発明の特徴をよりよく説明するために、本発明による装置の、以下の好ましい実施例を、決して限定的なものではなく、１つの例として、添付の図面を参照して記述する。
【００１７】
　図１および２は、たとえば日よけなどの遮蔽１を、支持体２に固定する、本発明による装置であって、支持体２は、この場合、壁３に、または壁３内に固定された水平アームからなり、その自由端に、支持体１に直接固定される軸受筒４が設けられ、その中に、軸方向に動かすことのできるバー５が設けられる。
【００１８】
　軸受筒４には、ネジ６の形状の、バー５用締め付け手段が設けられるが、これは、軸受筒４の壁内の通路７を通してねじ入れられる。
【００１９】
　バー５の頂端部には、フランジ８が設けられ、その上に、遮蔽１の骨組み９が、知られているやり方で、蝶番取り付けによって設けられる。
【００２０】
　軸受筒４と骨組み９の間にスポーク１０が設けられるが、これは、一方側の骨組み９に設けられた取っ手１２内に設けられるピン１１によって、一方の遠端で骨組み９に蝶番による取り付けがなされ、また、たとえば、他方側の軸受筒４の取っ手１４内に軸受け取り付けされるピン１３によって、軸受筒４に蝶番取り付けされる。
【００２１】
　遮蔽１は、骨組み９に固定される遮蔽１５によって、知られている方法で完成されるが、遮蔽１５は、図では、明確にするために、斜線によって表すにとどめる。
【００２２】
　バー５の長さは、図１に表す通り、遮蔽１を畳み込んだとき、バー５が、その自由端部で、軸受筒４から突き出るようなものであることが好ましい。
【００２３】
　装置１の使用方法は、非常に簡単であり、以下の通りである。
【００２４】
　図１に表す通り、畳み込んだ位置から始めて、遮蔽１を開かなくてはならない場合、使用者は、ネジ６を回して外し、バー５を、その下方端部で下向きに引くことになり、それによって、図２に表す通り、スポーク１０および骨組み９が、蝶番で互いに離れて移動し、布１５が広がる。
【００２５】
　図２に表す通り、遮蔽１が完全に開いているとき、バー５は、ここでもネジ６によって、軸受筒４内で締め付けられる。
【００２６】
　ネジ６以外の他の締め付け手段も、バー５をロックするのに使用できることが明らかであり、たとえば、知られている遮蔽に使用される締め付け手段の形状でもよく、その場合、こうした締め付け手段は、軸受筒４内の上記の位置で、バー５を自動的にロックする。
【００２７】
　遮蔽１を再び畳み込むためにしなければならないことは、まず、逆に、ネジ６を回して外して、それによってバー５を上向きに押し、続いてネジ６を再び締めるということだけである。
【００２８】
　図３から６は、本発明による装置の変形形態を表すが、この場合、遮蔽１のバー１は、骨組み９が固定された上方部分１６と、下方部分１７とを備えて曲げやすく作られ、これらの部分１６と１７は、蝶番１８によって連結されて、それによって、下方部分１７を上向きに回転させることができ、支持体２に設けられたフック１９、または遮蔽１のループなどに掛けることができ、その結果、遮蔽１の下に位置しまたはその下を歩く人を、バー５が妨害することはない。
【００２９】
　図７は、本発明による装置を表すが、この場合、軸受筒は、曲げやすいアームの形状の支持体２に固定されるが、支持体２は、たとえば、２つの蝶番２３によって互いに連結される３つの部分２０〜２１〜２２によって構成されて、それによって、畳まれた遮蔽を、壁３に対して転向することができるようになる。
【００３０】
　図８および９は、他の用途を表すが、この場合、支持体２を形成するアームは、２つの入れ子部分２４〜２５によって入れ子式に作られ、それらの部分は、ネジ２６、またはその他の任意の締め付け装置によって、互いに対してロックすることができ、それらの遠端２７〜２８は、２つのロック可能な蝶番２９によって、曲げやすく作られる。
【００３１】
　後者の場合、支持体２は、さまざまな位置で畳むことができ、支持体２の長さも調節することができて、それによって、遮蔽１を、壁３に対してさまざまな位置に、容易に配置することができる。
【００３２】
　さらに、遮蔽１は、使用していないときは、図９に表す通り、壁３を背にして、場所を取らない形で配置することができる。
【００３３】
　図で、アームの形状の支持体２は、壁に固定されているが、そのようなアームは、たとえば、縦軸の周りを回転できるように作ることのできる縦方向の支柱に設けることも可能である。
【００３４】
　図１０および１１は、図９の装置の変形形態を表すが、この場合、軸受筒４は、支持体２に直接固定されず、軸受筒の形状のホルダ３０によって、この支持体２に間接的に保持され、そのホルダ３０の中で、スクリーンの軸受筒４が、締め付け装置によって締め付けられるが、この締め付け装置は、この場合、バー５に対して、ホルダ３０の壁を通してねじ入れられているネジ３１で構成される。
【００３５】
　後者の場合、たとえば、遮蔽１を安全な場所に収納するなどのために、遮蔽１を、ホルダ３０から簡単に出し入れすることができる。
【００３６】
　図１２は、図１１の変形形態を表すが、この場合、軸受筒４の締め付け手段が、ホルダ３０内でレバー３２によって形成され、レバー３２が、シャフト３３によってホルダ３０に固定され、ここで、前記レバー３２は、ホルダ３０の溝３５内に突き出る偏心の遠端３４を有し、それによって、レバー３２がホルダ３０に対して斜めに配置されるときに、偏心遠端３４が、遮蔽１の軸受筒４と接触することがなくなり、これに対し、レバー３２が、図１２で表す通りの位置に回し下げられるとき、軸受筒４が、この偏心遠端３４によって、ホルダ３０内で締め付けられるようになる。
【００３７】
　本発明は、例として掲げ、添付図に表した上記の実施形態に、決して限定されるものではない。それとは反対に、本発明によるこのような装置は、本発明の範囲内で、あらゆる種類の形状および大きさで作ることができる。
【図面の簡単な説明】
【００３８】
【図１】本発明による装置の実施例を、概略的に表す図であり、当該の遮蔽を、閉じた位置で表す。
【図２】図１に類似の図を表すが、遮蔽が開けられた位置にある。
【図３】本発明による装置の実施形態を表す図である。
【図４】図３による装置を、他の位置で表す図である。
【図５】図３による装置を、他の位置で表す図である。
【図６】図５でＦ６によって示す部分を、より大きな尺度で、部分的に切り取って表す図である。
【図７】図３と同様であるが、他の用途を表す図である。
【図８】図３と同様であるが、他の用途を表す図である。
【図９】図８による装置であるが、他の位置を表す図である。
【図１０】図９の実施例の変形形態を表す図である。
【図１１】図１０の線ＸＩ−ＸＩによる断面を表す図である。
【図１２】図１１の変形形態を表す図である。
【符号の説明】
【００３９】
　１　装置（遮蔽）
　２　支持体
　３　壁
　４　軸受筒
　５　バー
　６、２６、３１　ネジ
　７　通路
　８　フランジ
　９　骨組み
　１０　スポーク
　１１、１３　ピン
　１２、１４　取っ手
　１５　布
　１６　バーの上方部分
　１７　バーの下方部分
　１８、２３、２９　蝶番
　１９　フック
　２０、２１、２２　２つの蝶番２３によって連結される３つの部分
　２４、２５　入れ子部分
　２７、２８　入れ子部分の遠端
　３０　ホルダ
　３２　レバー
　３３　シャフト
　３４　レバーの偏心遠端
【図１】
2004137881.tif 000003
【図２】
2004137881.tif 000004
【図３】
2004137881.tif 000005
【図４】
2004137881.tif 000006
【図５】
2004137881.tif 000007
【図６】
2004137881.tif 000008
【図７】
2004137881.tif 000009
【図８】
2004137881.tif 000010
【図９】
2004137881.tif 000011
【図１０】
2004137881.tif 000012
【図１１】
2004137881.tif 000013
【図１２】
2004137881.tif 000014